(57)【要約】【課題】コンタクト情報の提供方法及びデバイスに関し、インターネットのユーザのコミュニケーション効率を改善する。【解決手段】本方法はサーバで適用され、本方法は、第一のユーザによって入力されるキーワード情報を取得することと、第一のユーザによって入力されるキーワード情報と同一又は類似のキーワード情報を入力する少なくとも一人の第二のユーザのコンタクト情報を決定することと、少なくとも一人の第二のユーザのコンタクト情報を第一のユーザに対して表示すること、とを含む。本開示の技術的解決策によれば、第一のユーザによって入力されるキーワード情報に従ってコンタクト情報を第一のユーザに推薦することによって、第一のユーザは、第一のユーザの検索と類似した検索を行う第二のユーザを見つけることができ、彼／彼女の検索要求と同一の検索要求を持つ少なくとも一人の第二のユーザを、第三者のインスタントメッセージツールのコンタクト又は友達として追加することができる。こうして、コミュニケーション効率は改善されるので、第一のユーザにとってキーワード情報についての問題を解決することが容易になる。【選択図】図１
2017504081.tif 000002
【特許請求の範囲】
【請求項１】
サーバで適用される、コンタクト情報の提供方法であって、
第一のユーザによって入力されるキーワード情報を取得することと、
前記第一のユーザによって入力される前記キーワード情報と同一又は類似のキーワード情報を入力する少なくとも一人の第二のユーザのコンタクト情報を決定することと、
前記少なくとも一人の第二のユーザの前記コンタクト情報を前記第一のユーザに対して表示することを備えるコンタクト情報の提供方法。
【請求項２】
前記第一のユーザによって入力される前記キーワード情報と同一又は類似のキーワード情報を入力する少なくとも一人の第二のユーザのコンタクト情報を決定することは、
前記第一のユーザによって入力される前記キーワード情報と同一又は類似のキーワード情報を、サーバに格納されているコンタクトリストであって、かつ、前記サーバに記録されたコンタクト情報及び前記コンタクト情報に対応するコンタクトによって入力される前記キーワード情報を格納するように構成される前記コンタクトリストから検索することと、
前記コンタクトリストから前記第一のユーザによって入力される前記キーワード情報と同一又は類似のキーワード情報に対応する第一のコンタクト情報を取得することと、
前記第一のコンタクト情報に対応する各コンタクトのアクティビティを決定することと、
前記第一のコンタクト情報に対応する各コンタクトの前記アクティビティに従って前記第一のユーザに対して推薦される前記少なくとも一人の第二のユーザに対応する前記コンタクト情報を決定することと、を備える請求項１記載のコンタクト情報の提供方法。
【請求項３】
前記サーバに関連するサイトの前記コンタクトリストにおける各コンタクトによって投稿されるメッセージの第一の数、及び、前記サーバに関連する前記サイトの前記コンタクトリストにおける各コンタクトによって返答されるメッセージの第二の数を取得することと、
前記コンタクトリストの各コンタクトの重み値を取得するために第一の重み係数及び第二の重み係数のそれぞれによって前記第一の数及び前記第二の数を重み付けすることと、
前記コンタクトリストの各コンタクトの前記重み値に従って前記コンタクトリストの各コンタクトの前記アクティビティを更新することと、をさらに備える請求項２記載のコンタクト情報の提供方法。
【請求項４】
前記サーバに関連する前記サイトの前記コンタクトリストの各コンタクトのスコアリング情報を取得することと、
前記コンタクトリストの各コンタクトの前記スコアリング情報に対応する第三の重み係数に従って前記コンタクトリストの各コンタクトの前記アクティビティを更新することと、をさらに備える請求項２記載のコンタクト情報の提供方法。
【請求項５】
前記第一のユーザのコンタクトの詳細及び認可設定を取得することと、
前記第一のユーザの名前、前記第一のユーザによって入力される前記キーワード情報、及び、前記第一のユーザの前記コンタクトの詳細に従って前記コンタクトリストを更新することと、
前記第一のユーザの前記認可設定に従って、前記第一のユーザの前記名前、前記第一のユーザによって入力される前記キーワード情報、及び、前記第一のユーザの前記コンタクトの詳細を公開するかどうかを決定することと、をさらに含む請求項２から４のいずれか記載のコンタクト情報の提供方法。
【請求項６】
サーバで適用される、コンタクト情報の提供デバイスであって、
第一のユーザによって入力されるキーワード情報を取得するように構成される第一の取得モジュールと、
前記第一の取得モジュールによって取得されるキーワード情報と同一又は類似のキーワード情報を入力する少なくとも一人の第二のユーザのコンタクト情報を決定するように構成される第一の決定モジュールと、
前記第一のユーザに対して前記第一の決定モジュールによって決定される前記コンタクト情報を表示するように構成される表示モジュールと、を備えるコンタクト情報の提供デバイス。
【請求項７】
前記第一の決定モジュールは、
前記第一のユーザによって入力されるキーワード情報と同一又は類似のキーワード情報を、前記サーバに格納されているコンタクトリストであって、かつ、前記サーバに記録されたコンタクト情報及び前記コンタクト情報に対応するコンタクトによって入力される前記キーワード情報を格納するように構成される前記コンタクトリストから検索するように構成される検索サブモジュールと、
前記コンタクトリストから前記検索サブモジュールによって検索される前記第一のユーザによって入力されるキーワード情報と同一又は類似のキーワード情報に対応する第一のコンタクト情報を取得するように構成される取得サブモジュールと、
前記取得サブモジュールによって取得される前記第一のコンタクト情報に対応する各コンタクトのアクティビティを決定するように構成される第一の決定サブモジュールと、
前記第一の決定サブモジュールによって決定されるアクティビティに従って前記第一のユーザに対して推薦される前記少なくとも一人の第二のユーザに対応する前記コンタクト情報を決定するように構成される第二の決定サブモジュールと、を備える請求項６記載のコンタクト情報の提供デバイス。
【請求項８】
前記サーバに関連するサイトの前記コンタクトリストにおける各コンタクトによって投稿されるメッセージの第一の数、及び、前記サーバに関連する前記サイトの前記コンタクトリストにおける各コンタクトによって返答されるメッセージの第二の数を取得するように構成される第二の取得モジュールと、
前記コンタクトリストの各コンタクトの重み値を取得するために第一の重み係数及び第二の重み係数のそれぞれによって前記第二の取得モジュールによって取得される前記第一の数及び前記第二の数を重み付けするように構成される重み付けモジュールと、
前記重み付けモジュールによって取得される前記コンタクトリストの各コンタクトの前記重み値に従って前記コンタクトリストの各コンタクトの前記アクティビティを更新するように構成される第一の更新モジュールと、をさらに備える請求項７記載のコンタクト情報の提供デバイス。
【請求項９】
前記サーバに関連する前記サイトの前記コンタクトリストの各コンタクトのスコアリング情報を取得するように構成される第三の取得モジュールと、
前記第三の取得モジュールによって取得される前記コンタクトリストの各コンタクトの前記スコアリング情報に対応する第三の重み係数に従って、前記コンタクトリストの各コンタクトの前記アクティビティを更新するように構成される第二の更新モジュールと、をさらに備える請求項７記載のコンタクト情報の提供デバイス。
【請求項１０】
前記第一のユーザのコンタクトの詳細及び認可設定を取得するように構成される第四の取得モジュールと、
前記第一のユーザの名前、前記第一のユーザによって入力される前記キーワード情報、及び、前記第一のユーザの前記コンタクトの詳細に従って前記コンタクトリストを更新するように構成される第三の更新モジュールと、
前記第一のユーザの前記認可設定に従って、前記第一のユーザの前記名前、前記第一のユーザによって入力される前記キーワード情報、及び、前記第一のユーザの前記コンタクトの詳細を、公開するかどうかを決定するように構成される第二の決定モジュールと、をさらに備える請求項７から請求項９のいずれか１項に記載のコンタクト情報の提供デバイス。
【請求項１１】
プロセッサと、
前記プロセッサによって遂行可能な命令を格納するように構成されるメモリと、
を含み、
前記プロセッサは、
第一のユーザによって入力されるキーワード情報を取得し、
前記第一のユーザによって入力されるキーワード情報と同一又は類似のキーワード情報を入力する少なくとも一人の第二のユーザのコンタクト情報を決定し、
前記第一のユーザに対して前記少なくとも一人の第二のユーザのコンタクト情報を表示するように構成される、
コンタクト情報の提供デバイス。
【発明の詳細な説明】
【技術分野】
【０００１】
関連出願の相互参照
本出願は、２０１４年１２月９日に提出された中国特許出願第２０１４１０７５１２４７．７に基づく優先権を主張し、その全文を参照によって、本明細書に取り込まれたものとする。
本開示は、インターネット技術の分野に関し、特に、コンタクト情報の提供方法及びコンタクト情報の提供デバイスに関する。
【背景技術】
【０００２】
ユーザが検索エンジンを用いてキーワードで関連コンテンツを検索する場合、検索エンジンは、関連するＵＲＬリンクページなどをユーザに推薦することができる。例えば、ユーザが国家公務員試験を受けようとしていて、かつ、国家公務員試験について多くの疑問がある場合、検索エンジンを用いて「国家、公務員、試験」というキーワードで情報を検索すると、検索エンジンは、大量のＵＲＬリンク又はページをユーザに推薦することが可能である。その結果、ユーザは、検索エンジンによって推薦された情報の参照価値を確認するために、多くの時間及び労力を費やす必要があり、かつ、間違った情報がユーザを誤った方向へ導く可能性がある。
【発明の概要】
【発明が解決しようとする課題】
【０００３】
従来技術に存在する問題点を解消するために、本開示は、インターネットを介したコミュニケーションの効率を高める、コンタクト情報の提供方法及びコンタクト情報の提供デバイスを提供する。
【課題を解決するための手段】
【０００４】
本開示の実施形態の第一の態様によれば、
第一のユーザによって入力されるキーワード情報を取得することと、
前記第一のユーザによって入力される前記キーワード情報と同一又は類似のキーワード情報を入力する少なくとも一人の第二のユーザのコンタクト情報を決定することと、
前記少なくとも一人の第二のユーザの前記コンタクト情報を前記第一のユーザに対して表示することと、
を含むコンタクト情報の提供方法が提供される。
【０００５】
実施形態では、前記第一のユーザによって入力される前記キーワード情報と同一又は類似のキーワード情報を入力する少なくとも一人の第二のユーザのコンタクト情報を決定することは、
前記第一のユーザによって入力される前記キーワード情報と同一又は類似のキーワード情報を、サーバに格納されているコンタクトリストであって、かつ、前記サーバに記録されたコンタクト情報及び前記コンタクト情報に対応するコンタクトによって入力される前記キーワード情報を格納するように構成される前記コンタクトリストから検索することと、
前記第一のユーザによって入力される前記キーワード情報と同一又は類似のキーワード情報に対応する第一のコンタクト情報を前記コンタクトリストから取得することと、
前記第一のコンタクト情報に対応する各コンタクトのアクティビティを決定することと、
前記第一のコンタクト情報に対応する各コンタクトの前記アクティビティに従って前記第一のユーザに対して推薦される前記少なくとも一人の第二のユーザに対応する前記コンタクト情報を決定することと、を含む。
【０００６】
実施形態では、前記方法は、さらに、
前記サーバに関連するサイトの前記コンタクトリストにおける各コンタクトによって投稿されるメッセージの第一の数、及び、前記サーバに関連する前記サイトの前記コンタクトリストにおける各コンタクトによって返答されるメッセージの第二の数を取得することと、
前記コンタクトリストの各コンタクトの重み値を取得するために第一の重み係数及び第二の重み係数のそれぞれによって前記第一の数及び前記第二の数を重み付けすることと、
前記コンタクトリストの各コンタクトの前記重み値に従って前記コンタクトリストの各コンタクトの前記アクティビティを更新することと、を含む。
【０００７】
実施形態では、前記方法は、さらに、
前記サーバに関連する前記サイトの前記コンタクトリストの各コンタクトのスコアリング情報を取得することと、
前記コンタクトリストの各コンタクトの前記スコアリング情報に対応する第三の重み係数に従って前記コンタクトリストの各コンタクトの前記アクティビティを更新することと、を含む。
【０００８】
実施形態では、前記方法は、さらに、
前記第一のユーザのコンタクトの詳細及び認可設定を取得することと、
前記第一のユーザの名前、前記第一のユーザによって入力される前記キーワード情報、及び、前記第一のユーザの前記コンタクトの詳細に従って前記コンタクトリストを更新することと、
前記第一のユーザの前記認可設定に従って、前記第一のユーザの前記名前、前記第一のユーザによって入力される前記キーワード情報、及び、前記第一のユーザの前記コンタクトの詳細を公開するかどうかを決定することと、を含む。
【０００９】
本開示の実施形態の第二の態様によれば、
第一のユーザによって入力されるキーワード情報を取得するように構成される第一の取得モジュールと、
前記第一の取得モジュールによって取得されるキーワード情報と同一又は類似のキーワード情報を入力する少なくとも一人の第二のユーザのコンタクト情報を決定するように構成される第一の決定モジュールと、
前記第一のユーザに対して前記第一の決定モジュールによって決定される前記コンタクト情報を表示するように構成される表示モジュールと、を含む、
コンタクト情報の提供デバイスが提供される。
【００１０】
実施形態では、前記第一の決定モジュールは、
前記第一のユーザによって入力されるキーワード情報と同一又は類似のキーワード情報を、前記サーバに格納されているコンタクトリストであって、かつ、前記サーバに記録されたコンタクト情報及び前記コンタクト情報に対応するコンタクトによって入力される前記キーワード情報を格納するように構成される前記コンタクトリストから検索するように構成される検索サブモジュールと、
前記コンタクトリストから前記検索サブモジュールによって検索される前記第一のユーザによって入力されるキーワード情報と同一又は類似のキーワード情報に対応する第一のコンタクト情報を取得するように構成される取得サブモジュールと、
前記第一のコンタクト情報に対応する各コンタクトのアクティビティを決定するように構成される第一の決定サブモジュールと、
前記第一の決定サブモジュールによって決定されるアクティビティに従って前記第一のユーザに対して推薦される前記少なくとも一人の第二のユーザに対応する前記コンタクト情報を決定するように構成される第二の決定サブモジュールと、を含む。
【００１１】
実施形態では、前記デバイスは、さらに、
前記サーバに関連するサイトの前記コンタクトリストにおける各コンタクトによって投稿されるメッセージの第一の数、及び、前記サーバに関連する前記サイトの前記コンタクトリストにおける各コンタクトによって返答されるメッセージの第二の数を取得するように構成される第二の取得モジュールと、
前記コンタクトリストの各コンタクトの重み値を取得するために第一の重み係数及び第二の重み係数のそれぞれによって前記第二の取得モジュールによって取得される前記第一の数及び前記第二の数を重み付けするように構成される重み付けモジュールと、
前記重み付けモジュールによって取得される前記コンタクトリストの各コンタクトの前記重み値に従って前記コンタクトリストの各コンタクトの前記アクティビティを更新するように構成される第一の更新モジュールと、
を含んでもよい。
【００１２】
実施形態では、前記デバイスは、さらに、
前記サーバに関連する前記サイトの前記コンタクトリストの各コンタクトのスコアリング情報を取得するように構成される第三の取得モジュールと、
前記第三の取得モジュールによって取得される前記コンタクトリストの各コンタクトの前記スコアリング情報に対応する第三の重み係数に従って前記コンタクトリストの各コンタクトの前記アクティビティを更新するように構成される第二の更新モジュールと、
を含んでもよい。
【００１３】
実施形態では、前記デバイスは、さらに、
前記第一のユーザのコンタクトの詳細及び認可設定を取得するように構成される第四の取得モジュールと、
前記第一のユーザの名前、前記第一のユーザによって入力される前記キーワード情報、及び、前記第一のユーザの前記コンタクトの詳細に従って前記コンタクトリストを更新するように構成される第三の更新モジュールと、
前記第一のユーザの前記認可設定に従って、前記第一のユーザの前記名前、前記第一のユーザによって入力される前記キーワード情報、及び、前記第一のユーザの前記コンタクトの詳細を公開するかどうかを決定するように構成される第二の決定モジュールと、
を含んでもよい。
【００１４】
本開示の実施形態の第三の態様によれば、
プロセッサと、
前記プロセッサによって遂行可能な命令を格納するように構成されるメモリと、
を含み、
前記プロセッサは、
第一のユーザによって入力されるキーワード情報を取得し、
前記第一のユーザによって入力されるキーワード情報と同一又は類似のキーワード情報を入力する少なくとも一人の第二のユーザのコンタクト情報を決定し、
前記第一のユーザに対して前記少なくとも一人の第二のユーザのコンタクト情報を表示するように構成される、
コンタクト情報の提供デバイスが提供される。
【００１５】
本開示の実施形態において開示される技術的な解決策は、以下のような有利な効果を有することができる。第一のユーザによって入力されるキーワードに従い、第一のユーザに対してコンタクト情報を推薦することによって、第一のユーザは、第一のユーザの検索と同一又は類似の検索をする第二のユーザを見つけることができ、かつ、第三者のインスタントメッセージツールのコンタクト又は友達として第一のユーザの検索要求と同一の検索要求をした少なくとも一人の第二のユーザを追加することができる。こうして、コミュニケーション効率は改善されるので、第一のユーザにとってキーワード情報についての問題を解決することが容易になる。
【図面の簡単な説明】
【００１６】
【図１】本開示の典型的な実施形態に従うコンタクト情報の提供方法を示すフローチャートである。
【図２】本開示の第一の典型的な実施形態に従うコンタクト情報の提供方法を示すフローチャートである。
【図３】本開示の第二の典型的な実施形態に従うコンタクト情報の提供方法を示すフローチャートである。
【図４】本開示の第三の典型的な実施形態に従うコンタクト情報の提供方法を示すフローチャートである。
【図５】本開示の第四の典型的な実施形態に従うコンタクト情報の提供方法を示すフローチャートである。
【図６Ａ】本開示の典型的な実施形態に従うキーワード処理ページを示す概略図である。
【図６Ｂ】本開示の典型的な実施形態に従うコンタクトの認可設定を示す概略図である。
【図６Ｃ】本開示の典型的な実施形態に従う推薦ページを示す概略図である。
【図６Ｄ】本開示の典型的な実施形態に従う推薦されるコンタクトを示す概略図である。
【図６Ｅ】本開示の典型的な実施形態に従うコンタクトの作成を示す概略図である。
【図７】本開示の典型的な実施形態に従うコンタクト情報の提供デバイスを示すブロック図である。
【図８】本開示の典型的な実施形態に従う別のコンタクト情報の提供デバイスを示すブロック図である。
【図９】本開示の典型的な実施形態に従うコンタクト情報の提供デバイスを示すブロック図である。
【発明を実施するための形態】
【００１７】
上記の概説及び以下の詳細な説明の両方は、典型的かつ説明的なものにすぎず、請求項に記載された開示を限定するものではないと理解されるべきである。
【００１８】
この明細書に取り込まれ、かつ、その一部を構成する添付の図面は、本開示と一致する実施形態を示し、かつ、その説明と併せて、本開示の原理の説明に供される。
【００１９】
次に、典型的な実施形態、及び、添付図面に示される例が詳細に参照されるであろう。以下の説明は、他に表されない限り、異なる図面における同一の番号は、同一又は類似の要素を表す添付図面を参照する。典型的な実施形態における以下の説明で述べられる実装は、本開示と一致する全ての実装を表してはいるわけではない。むしろ、これらは、付属の特許請求の範囲に列挙される本開示に関連する態様と一致する装置及び方法の例にすぎない。
【００２０】
図１は、本開示の典型的な実施形態に従うコンタクト情報の提供方法を示すフローチャートである。このコンタクト情報の提供方法はサーバに適用される。図１に示すように、このコンタクト情報の提供方法は、以下のステップＳ１０１からステップＳ１０３を含む。
【００２１】
ステップＳ１０１では、第一のユーザによって入力されるキーワード情報が取得される。
【００２２】
実施形態では、第一のユーザは、検索エンジンを介してキーワード情報を入力することができ、又は、インターネットポータルサイト又はエンタープライズアプリケーションシステムのポータルシステムを介してキーワード情報を入力することができる。キーワード情報は、少なくとも一つのキーワードを含むことができ、例えば、ユーザは、検索用の１つのキーワード「公務員」を入力し、又は、検索用の２つのキーワード「公務員、管理能力試験」を入力する。
【００２３】
ステップＳ１０２では、第一のユーザによって入力されるキーワード情報と同一又は類似のキーワード情報を入力する少なくとも一人の第二のユーザのコンタクト情報が決定される。
【００２４】
例えば、ユーザによって入力されるキーワード情報は「公務員、管理能力試験」であれば、キーワード情報「公務員、管理能力試験」と同一又は類似のキーワード（公務員、管理能力試験、公務員試験、国家試験など）に対応する少なくとも一人の第二のユーザのコンタクト情報が決定される。その結果、第一のユーザは、コンタクト情報に従って、キーワード情報の関連事項に関して推薦されるコンタクトと更にコミュニケーションを図ることができる。
【００２５】
ステップＳ１０３では、第一のユーザに対して少なくとも一人の第二のユーザのコンタクト情報が表示される。
【００２６】
例えば、推薦されるコンタクト情報を、検索エンジンのページを介して第一のユーザに対して表示することができる。推薦されるコンタクト情報は、インターネットポータルサイト又はエンタープライズアプリケーションシステムのポータルシステムを介して第一のユーザに対して表示することもできる。推薦されるコンタクト情報を表示することによって、第一のユーザは、コンタクト情報に従って、直接的に他人とコミュニケーションする手段を自由に選択することができる。例えば、推薦されるコンタクト情報は、「ユーザのニックネーム＋ＱＱ番号、電話番号」である。このように、ユーザは、推薦されるコンタクトにより迅速に連絡することができ、それゆえに、効率的なコミュニケーションを実行できる。
【００２７】
この実施形態では、第一のユーザによって入力されるキーワードに従い、第一のユーザに対してコンタクト情報を推薦することによって、第一のユーザは、彼自身／彼女自身によって入力される検索と同一又は類似の検索をした複数の第二のユーザを見つけることができ、かつ、第三者のインスタントメッセージツールのコンタクト又は友達として彼／彼女の検索要求と同一の検索要求をした少なくとも一人の第二のユーザを追加することができる。こうして、コミュニケーション効率は改善されるので、第一のユーザにとってキーワード情報についての問題を解決することが役に立つ。
【００２８】
実施形態では、ステップＳ１０２は、第一のユーザによって入力されるキーワード情報と同一又は類似のキーワード情報を、サーバに格納されているコンタクトリストであって、かつ、サーバに記録されたコンタクト情報及びコンタクト情報に対応するコンタクトによって入力されるキーワード情報を格納するように構成されるコンタクトリストから検索することと、コンタクトリストから第一のユーザによって入力されるキーワード情報と同一又は類似のキーワード情報に対応する第一のコンタクト情報を取得することと、第一のコンタクト情報に対応する各コンタクトのアクティビティを決定することと、第一のコンタクト情報に対応する各コンタクトのアクティビティに従って第一のユーザに対して推薦される少なくとも一人の第二のユーザに対応するコンタクト情報を決定することと、を含むことができる。
【００２９】
実施形態では、コンタクト情報の提供方法は、さらに、サーバに関連するサイトの第一のコンタクト情報に対応する各コンタクトによって投稿されるメッセージの第一の数、及び、サーバに関連するサイトの第一のコンタクト情報に対応する各コンタクトによって返答されるメッセージの第二の数を取得することと、第一のコンタクト情報に対応する各コンタクトの重み値を取得するために第一の重み係数及び第二の重み係数のそれぞれによって第一の数及び第二の数を重み付けすることと、第一のコンタクト情報に対応する各コンタクトの重み値に従って第一のコンタクト情報に対応する各コンタクトのアクティビティを更新することと、を含んでもよい。
【００３０】
実施形態では、コンタクト情報の提供方法は、さらに、サーバに関連するサイトの第一のコンタクト情報に対応する各コンタクトのスコアリング情報を取得することと、第一のコンタクト情報に対応する各コンタクトのスコアリング情報に対応する第三の重み係数に従って第一のコンタクト情報に対応する各コンタクトのアクティビティを更新することと、を含んでもよい。
【００３１】
実施形態では、コンタクト情報の提供方法は、さらに、第一のユーザのコンタクトの詳細及び認可設定を取得することと、第一のユーザの名前、第一のユーザによって入力されるキーワード情報、及び、第一のユーザのコンタクトの詳細に従ってコンタクトリストを更新することと、第一のユーザの認可設定に従って、第一のユーザの名前、第一のユーザによって入力されるキーワード情報、及び、第一のユーザのコンタクトの詳細を公開するかどうかを決定することと、を含んでもよい。
【００３２】
キーワード情報に従うコンタクト情報の提供手法についての詳細については、以下の実施形態を参照されたい。
【００３３】
ここで、本開示に従う実施形態において提供される上記の方法で、第一のユーザによって入力されるキーワードに従い、第一のユーザに対してコンタクト情報を推薦することによって、第一のユーザは、彼自身／彼女自身によって入力される検索と同一又は類似の検索をした複数の第二のユーザを見つけることができ、かつ、第三者のインスタントメッセージツールのコンタクト又は友達として彼／彼女の検索要求と同一の検索要求をした少なくとも一人の第二のユーザを追加することができる。その結果、第一のユーザは、直接的に少なくとも一人の第二のユーザとコミュニケーションを図ることができる。こうして、コミュニケーション効率は改善されるので、第一のユーザにとってキーワード情報についての問題を解決することが役に立つ。
【００３４】
以下では、本開示に従う実施形態において提供される技術的解決策が、具体的な実施形態を参照して説明されるであろう。
【００３５】
図２は、第一の典型的な実施形態に従うコンタクト情報の提供方法を示すフローチャートである。本開示に従う実施形態で提供される上記の方法を参照し、本実施形態では、説明の例として、コンタクト情報の提供方法は、サーバに適用することができ、かつ、アクティビティに従ってコンタクト情報をユーザに推薦することができる。図２に示すように、このコンタクト情報の提供方法は、以下のステップを含む。
【００３６】
ステップＳ２０１では、第一のユーザによって入力されるキーワード情報が取得される。
【００３７】
ステップＳ２０１の詳細な説明については、ステップＳ１０１の詳細な説明が参照されるので、ここでは詳述しない。
【００３８】
ステップＳ２０２では、第一のユーザによって入力されるキーワード情報と同一又は類似のキーワード情報が、サーバに格納されている連絡リストであって、かつ、サーバに記録されたコンタクト情報及びコンタクト情報に対応するコンタクトによって入力されるキーワード情報を格納するように構成されるコンタクトリストから検索される。
【００３９】
実施形態では、コンタクトリストは、多数のユーザの関連情報を格納することができる。この実施形態のコンタクトリストを理解するために、説明の例として表１をあげる。
【００４０】
【表１】
2017504081.tif 000003
【００４１】
表１に示すように、コンタクトリストにおける５人のユーザＡ、Ｂ、Ｃ、Ｄ及びＥのキーワードと、コンタクトの詳細と、対応するアクティビティとが示されている。第一のユーザがキーワード情報「公務員」を入力する場合、複数のキーワード（例えば、「公務員」（同一）、「管理能力試験」（類似）、「公務員、管理能力試験」（同一＋類似）、「官庁」（類似））が、キーワード情報「公務員」に従って、コンタクトリストから決定される可能性がある。表１は、典型的な例にすぎず、本開示の実施形態を限定することを意図していないと、当業者によって理解されるべきである。
【００４２】
ステップＳ２０３では、第一のユーザによって入力されるキーワード情報と同一又は類似のキーワード情報に対応する第一のコンタクト情報がコンタクトリストから取得される。
【００４３】
例えば、表１に示されるように、ユーザＡ、Ｂ、Ｃ及びＤのコンタクト情報は、上記コンタクトリスト内に見つけることができる。
【００４４】
ステップＳ２０４では、第一のコンタクト情報に対応する各コンタクトのアクティビティが決定される。
【００４５】
実施形態では、第一のユーザのアクティビティは、サーバに関連するサイトの第一のユーザによって投稿されるメッセージの第一の数、及び、サーバに関連するサイトの第一のユーザによって返答されるメッセージの第二の数に従って決定することができる。例えば、第一のユーザが「公務員試験」の「管理能力試験」に精通している場合、第一のユーザは、「管理能力試験」についてのメッセージをフォーラムに投稿することができ、又は、他人からの「管理能力試験」についての質問に活発に返答することができる。このように、第一の数及び第二の数は、第一のユーザのアクティビティの参考として用いることができる。
【００４６】
ステップＳ２０５では、第一のユーザに対して推薦される少なくとも一人の第二のユーザに対応するコンタクト情報が第一のコンタクト情報に対応する各コンタクトのアクティビティに従って決定される。
【００４７】
実施形態では、第一のコンタクト情報に対応するコンタクトのアクティビティを、ランク付けすることができ、かつ、トップ３のアクティビティを伴うユーザが、第一のユーザに対して推薦されるコンタクトとして決定される。例えば、表１から、トップ３のアクティビティを伴うユーザがＢ、Ｃ及びＡであり、かつ、ユーザＢのＱＱ番号１０９８７６５と、ユーザＣのＷｅｃｈａｔ番号２３１４５２と、ユーザＡのＷｅｃｈａｔ番号１２３４５６及びユーザＡの電話番号１８２１２３１２３３が、第一のユーザに推薦されることがわかる。
【００４８】
ステップＳ２０６では、第一のユーザに対して推薦される少なくとも一人の第二のユーザに対応するコンタクト情報が表示される。
【００４９】
ステップＳ２０６の詳細な説明については、ステップＳ１０３の説明が参照されるので、ここでは詳述しない。
【００５０】
本実施形態では、アクティビティに従って第一のユーザにコンタクト情報を推薦することによって、第一のユーザの検索要求と同一又は類似の検索要求をした少なくとも一人の第二のユーザを直接的に取得することができる。第一のユーザは、Ｗｅｃｈａｔのコンタクト又は友達として、少なくとも一人の第二のユーザを追加することができ、それから、彼らは相互に直接的にコミュニケーションを図ることができる。こうして、コミュニケーションの効率が向上し、かつ、第一のユーザがキーワード情報についての問題を解決することが容易になる。
【００５１】
図３は、本開示の第二の典型的な実施形態に従うコンタクト情報の提供方法を示すフローチャートである。この実施形態では、本開示の実施形態で提供される上記の方法を参照することによって、説明の例として、コンタクト情報の提供方法はサーバに適用することができ、かつ、アクティビティを更新することができる。図３に示すように、コンタクト情報の提供方法は、以下のステップを含むことができる。
【００５２】
ステップＳ３０１では、サーバに関連するサイトのコンタクトリストの各コンタクトによって投稿されるメッセージの第一の数、及び、サーバに関連するサイトのコンタクトリストの各コンタクトによって返答されるメッセージの第二の数が取得される。
【００５３】
例えば、サイトは、サーバプロバイダによって提供される検索エンジンとすることができ、又は、サーバに対してオープンなインタフェースを提供する他の検索エンジンプロバイダによって提供されるサイトとすることができる。例えば、ユーザのアンディガオが「公務員」についてのメッセージを、検索エンジンＡ及び検索エンジンＢに投稿する。検索エンジンプロバイダＡ及び検索エンジンプロバイダＢが自らのサーバインタフェースを相互にオープンにする場合、検索エンジンＡに対応するサーバは、ユーザのアンディガオによって検索エンジンＢに対応するサーバに投稿されるメッセージを、取得することができる。この時点では、検索エンジンＢは、検索エンジンＡに対応するサーバに関連するサイトである。
【００５４】
ステップＳ３０２では、コンタクトリストの各コンタクトの重み値を取得するために、第一の数及び第二の数は、第一の重み係数及び第二の重み係数によって、それぞれ、重み付けされる。
【００５５】
例えば、コンタクトリストのユーザＥが、検索エンジン「ｗｗｗ．ｄｄｄ．ｃｏｍ」に、「公務員」について１００件のメッセージを投稿し、また、他人によって投稿された「公務員」についてのメッセージに対して１５０件のメッセージを返答する。第一の数に対応する第一の重み係数（例えば０．２）、及び、第二の数に対応する第二の重み係数（例えば０．１）によって、それぞれ、第一の数及び第二の数を重み付けすることによって、ユーザＥの「公務員」についてのアクティビティを取得することができる。例えば、１００×０．２＋１５０×０．１＝３５であるので、３５がユーザＥの独自のアクティビティとして追加される。
【００５６】
ステップＳ３０３では、コンタクトリストにおける各コンタクトのアクティビティは、コンタクトリストの各コンタクトの重み係数に従って更新される。
【００５７】
本実施形態では、サーバに関連するサイトのコンタクトリストにおける各コンタクトによって投稿されるメッセージの第一の数、及び、サーバに関連するサイトのコンタクトリストの各コンタクトによって返答されるメッセージの第二の数を計算し、かつ、コンタクトリストの各コンタクトのアクティビティを更新することによって、ビッグデータ理論に基づいて更新するアクティビティが実現される。その結果、コンタクトリストのアクティビティはより信用できるものとなり、かつ、推薦されるコンタクト情報は、ユーザによって入力されるキーワードにより近くなる。
【００５８】
図４は、本開示の第三の典型的な実施形態に従うコンタクト情報の提供方法を示すフローチャートである。この実施形態は、本開示の実施形態で提供される上記の方法を参照することによって、説明の例として、サーバに適用することができ、かつ、アクティビティを更新することができる。図４に示すように、コンタクト情報の提供方法は、以下のステップを含む。
【００５９】
ステップＳ４０１では、サーバに関連するサイトのコンタクトリストの各コンタクトのスコアリング情報が取得される。
【００６０】
例えば、コンタクトリストのユーザＦが検索エンジン「ｗｗｗ．ｄｄｄｄ．ｃｏｍ」に「公務員」について一連のメッセージを投稿し、他のユーザ（Ｆ１、Ｆ２、Ｆ３など）がユーザＦによって投稿されたメッセージをスコア化する。例えば、Ｆ１、Ｆ２及びＦ３は、ユーザＦによって投稿されたメッ00セージを、そのメッセージが彼ら自身にとって価値があるかどうかに基づいてスコア化する。そして、Ｆ１、Ｆ２及びＦ３からのスコアは、４．５、５．０及び４．３であると、ユーザＦのスコアは、４．５＋５．０＋４．３＝１３．８と計算によって得ることができる。
【００６１】
ステップＳ４０２では、コンタクトリストの各コンタクトのアクティビティは、コンタクトリストの各コンタクトのスコアリング情報に対応する第三の重み係数に従って更新される。
【００６２】
例えば、Ｆ１、Ｆ２及びＦ３は、ユーザＦによって投稿された「公務員」についてのメッセージをスコア化し、そして、その結果のスコアとして、１３．８を得る。スコア１３．８は、第三の重み係数（例えば０．５）によって重み付けされる。すなわち、１３．８×０．５＝６．９、となり、スコア６．９は、ユーザＦの独自のアクティビティとして追加される。
【００６３】
この実施形態では、サーバに関連するサイトのコンタクトリストの各コンタクトのスコア情報を計算し、かつ、コンタクトリストの各コンタクトのアクティビティを更新することによって、ビッグデータ理論に基づいて更新するアクティビティが実現される。その結果、コンタクトリストのアクティビティはより信用できるものとなり、かつ、推薦されるコンタクト情報は、ユーザによって入力されるキーワードにより近くなる。
【００６４】
ユーザのアクティビティがユーザとキーワードとの関連性を反映できるように、図３に示される実施形態と図４に示される実施形態とを組み合わせて、新しい実施形態を形成できると、当業者であれば理解されるべきである。すなわち、サーバに関連するサイトのユーザによって投稿されるメッセージの第一の数、及び、サーバに関連するサイトのユーザによって返答されるメッセージの第二の数を計算することと、サーバに関連するサイトのユーザのスコアリング情報を取得することとの組み合わせを実現することによって、ユーザのアクティビティとキーワードとの関連性は非常に近くなり、こうして、ユーザに対するコンタクト情報の推薦の精度が改善される。
【００６５】
図５は、本開示の第四の典型的な実施形態に従うコンタクト情報の提供方法を示すフローチャートである。上記方法の実施形態に基づいて、本実施形態では、コンタクト情報の提供方法は、以下のステップを含む。
【００６６】
ステップＳ５０１では、第一のユーザのコンタクトの詳細及び認可設定が取得される。
【００６７】
ステップＳ５０２では、コンタクトリストは、第一のユーザの名前、第一のユーザによって入力されるキーワード情報、及び、第一のユーザのコンタクトの詳細に従って更新される。
【００６８】
ステップＳ５０３では、第一のユーザの認可設定に従って、第一のユーザの名前、第一のユーザによって入力されるキーワード情報、及び、第一のユーザのコンタクトの詳細を公開するかどうかが決定される。
【００６９】
例えば、第一のユーザが検索エンジンでキーワード情報を用いて、情報を初めて検索する場合、第一のユーザのユーザネーム「アンディガオ」が取得され、さらに、第一のユーザ「アンディガオ」によって入力されるキーワード情報「公務員、管理能力試験」、及び、コンタクトの詳細「Ｗｅｃｈａｔ番号：９５６２３３６４」が取得される。上記の情報は、コンタクトリストを更新するために、コンタクトリストに格納される。さらに、認可設定を格納するために、コンタクトリストに欄を設定することができる。例えば、認可設定が「はい」の場合、このユーザの情報は、他人がキーワード「公務員、又は管理能力試験」で情報を検索するときに、公開が許可される。認可設定が「いいえ」の場合、このユーザの情報は、他人がキーワード「公務員、又は管理能力試験」で情報を検索するときに、公開が許可されず、それによって、個人的なプライバシーを完全に保護することができる。キーワードを用いてインターネットで検索するユーザは常に多数存在するので、さらに多量の情報が、コンタクトリストに含まれる。その結果、ユーザによって入力されるキーワードに非常に近いユーザ情報を、ユーザに推薦することができる。これらのユーザは、コンタクトリストに従って、キーワードに関して、相互にさらにコミュニケーションを図ることができる。こうして、インターネットにおけるユーザ間のコミュニケーションは良い方に向かい、コミュニケーション効率は改善される。
【００７０】
以下では、上記方法の実施形態は、図６Ａから図６Ｆを参照して、ユーザの操作の立場から例示的に説明されるであろう。
【００７１】
図６Ａに示すように、ユーザが、個人的なアカウントを介してサーバ（このサーバは、検索機能を提供することができる限り、検索エンジンのサーバであっても、ポータルサイトのサーバであってもよい。）にログインし、かつ、一以上のキーワード（公務員、管理能力試験など）で情報を検索した後、特定のキーワードがより重要で、かつ、このキーワードによって表される関連知識に彼／彼女が精通していると考える場合、ユーザは、「キーワード処理」ボタンをクリックすることによって結果ページに個人情報を登録し、かつ、他のユーザが彼自身／彼女自身をコンタクトとして追加することを認可設定によって許可することができる。
【００７２】
図６Ｂに示すように、ユーザは、彼／彼女の個人情報（例えば、「電話番号」、「Ｗｅｃｈａｔ番号」など）をサーバに提供する。ユーザのアカウント情報では、キーワード情報に関して、オプション「コンタクトとして追加されることを許可する」を介して、ユーザはコンタクトの詳細及び対応する認可を設定することができる。例えば、他のユーザがキーワード「公務員、管理能力試験」で情報を検索するときに、他のユーザが電話番号及びＷｅｃｈａｔ番号を取得することをユーザ「アンディガオ」が許可する場合、ＱＱ番号は公開されない。コンタクトの詳細の公開は、ユーザの秘密保持要件に従って設定してもよい。例えば、ユーザは、時には他のユーザが彼／彼女のＱＱ番号を追加することだけを許可し、かつ、時には他のユーザが彼／彼女の電話番号を追加することを許可するなどである。
【００７３】
図６Ｃに示すように、他のユーザが検索エンジンで類似するキーワードで情報を検索する場合、サーバは、上記方法の実施形態を実行することによって、ユーザへの検索結果ページに推薦されるコンタクト情報を表示する。例えば、推薦されるコンタクト情報は、４つのコンタクトのユーザアカウント（アンディガオ、公務員試験の専門家、空を流れる雲、及び、全知）、及び、第三者のインスタントメッセージツールのコンタクトとして追加されるコンタクトの数を含む。
【００７４】
図６Ｄに示すように、推薦されるコンタクトの詳細な情報、及び、追加が許可される公開されたコンタクトの詳細は、推薦されるコンタクト情報をクリックすることによって見ることができる。例えば、ユーザのアンディガオがクリックされ、アンディガオのコンタクトの詳細である電話番号：１８９１１１２２８９３３及びＷｅｃｈａｔ番号：９５６６２３３６４が表示される。
【００７５】
図６Ｅに示すように、上記コンタクトの詳細のいずれかがクリックされる場合、対応するアプリケーションのインタフェースを追加するコンタクトが表示され、キーワード「公務員、管理能力試験」に従ってこのコンタクトが追加されることが示される。実施形態において、公開されたコンタクトの詳細が電話番号である場合、ユーザの住所録が表示され、かつ、推薦されたユーザネーム及び公開された電話番号がコンタクトとして追加される。
【００７６】
図６Ａから図６Ｅまでの上記の記載に従って、本開示の実施形態では、ユーザは、検索結果ページで、類似のキーワードという条件下で、第三者のインスタントメッセージツールのコンタクトとして追加することが許可されたコンタクトのユーザアカウント情報を見ることができる。こうして、興味のあるキーワードに関して相互にコミュニケーションを図ることはユーザにとって便利であり、かつ、友人と会うこと又は問題を解決することも有益である。このように、ビックデータ理論が実証され、かつ、第一のユーザがキーワード情報についての問題を解決するのに役に立つ。
【００７７】
図７は、本開示の典型的な実施形態に従うコンタクト情報の提供デバイスを示すブロック図である。コンタクト情報の提供デバイスは、サーバに適用することができる。図７に示すように、コンタクト情報の提供デバイスは、第一の取得モジュール７１、第一の決定モジュール７２、及び、表示モジュール７３を含む。
第一の取得モジュール７１は、第一のユーザによって入力されるキーワード情報を取得するように構成される。
第一の決定モジュール７２は、第一の取得モジュール７１によって取得されたキーワード情報と同一又は類似のキーワードを入力する少なくとも一人の第二のユーザのコンタクト情報を決定するように構成される。
表示モジュール７３は、第一の決定モジュール７２によって決定されるコンタクト情報を第一のユーザに対して表示するように構成される。
【００７８】
図８に示すように、第一の決定モジュール７２は、検索サブモジュール７２１、取得サブモジュール７２２、第一の決定サブモジュール７２３、及び、第二の決定サブモジュール７２４を含む。
検索サブモジュール７２１は、第一のユーザによって入力されるキーワード情報と同一又は類似のキーワード情報を、サーバに格納されているコンタクトリストであって、かつ、サーバに記録されたコンタクト情報及びコンタクト情報に対応するコンタクトによって入力されるキーワード情報を格納するように構成されるコンタクトリストから検索するように構成される。
取得サブモジュール７２２は、コンタクトリストから検索サブモジュール７２１によって検索される同一又は類似のキーワード情報に対応する第一のコンタクト情報を取得するように構成される。
第一の決定サブモジュール７２３は、取得サブモジュール７２２によって取得される第一のコンタクト情報に対応する各コンタクトのアクティビティを決定するように構成される。
第二の決定サブモジュール７２４は、第一の決定サブモジュール７２３によって決定されるアクティビティに従って第一のユーザに対して推薦される少なくとも一人の第二のユーザに対応するコンタクト情報を決定するように構成される。
【００７９】
実施形態では、コンタクト情報の提供デバイスは、さらに、第二の取得モジュール７４、重み付けモジュール７５、及び、第一の更新モジュール７６を含むことができる。
第二の取得モジュール７４は、サーバに関連するサイトのコンタクトリストにおける各コンタクトによって投稿されるメッセージの第一の数、及び、サーバに関連するサイトのコンタクトリストにおける各コンタクトによって返答されるメッセージの第二の数を取得するように構成される。
重み付けモジュール７５は、コンタクトリストの各コンタクトの重み値を取得するために第一の重み係数及び第二のそれぞれに重み係数よって第二の取得モジュール７４によって取得される第一の数及び第二の数を重み付けするように構成される。
第一の更新モジュール７６は、重み付けモジュール７５によって取得される各コンタクトの重み値に従ってコンタクトリストの各コンタクトのアクティビティを更新するように構成される。
【００８０】
実施形態では、コンタクト情報の提供デバイスは、さらに、第三の取得モジュール７７、及び第二の更新モジュール７８を含んでもよい。
第三の取得モジュール７７は、サーバに関連するサイトのコンタクトリストの各コンタクトのスコアリング情報を取得するように構成される。
第二の更新モジュール７８は、第三の取得モジュールによって取得されるコンタクトリストの各コンタクトのスコアリング情報に対応する第三の重み付け係数に従ってコンタクトリストの各コンタクトのアクティビティを更新するように構成される。
【００８１】
実施形態では、コンタクト情報の提供デバイスは、さらに、第四の取得モジュール７９、第三の更新モジュール８０、及び、第二の決定モジュール８１を含んでもよい。
第四の取得モジュール７９は、第一のユーザのコンタクトの詳細及び認可設定を取得するように構成される。
第三の更新モジュール８０は、第一のユーザの名前、第一のユーザによって入力されるキーワード情報、及び、第一のユーザのコンタクトの詳細に従ってコンタクトリストを更新するように構成される。
第二の決定モジュール８１は、第四の取得モジュール７９によって取得される第一のユーザの認可設定に従って、第一のユーザの名前、第一のユーザによって入力されるキーワード情報、及び、第一のユーザのコンタクトの詳細を公開するかどうかを決定するように構成される。
【００８２】
上記の実施形態におけるデバイスに関して、その中で個々のモジュールに対する特定の作動形態は、方法の発明に関する実施形態において詳細に記述されているので、ここでは再度詳述しない。
【００８３】
図９は、本開示の典型的な実施形態に従う好適なコンタクト情報の提供デバイスを示すブロック図である。例えば、デバイス９００は、サーバとして提供することができる。図９を参照すると、デバイス９００は、一以上のプロセッサを含むプロセッシングコンポーネント９２２と、プロセッシングコンポーネント９２２によって遂行可能な命令（例えばアプリケーションプログラム）を格納するメモリ９３２によって表されるメモリリソースと、を含むことができる。メモリ９３２に格納されるアプリケーションプログラムは、以上のモジュールを含むことができ、かつ、各モジュールは一連の命令に対応することができる。さらに、プロセッシングコンポーネント９２２は、上述のコンタクト情報の提供方法を実行するために、命令を遂行するように構成されてもよい。
【００８４】
デバイス９００は、さらに、デバイス９００の電力管理を行うように構成される電力コンポーネント９２６と、デバイス９００をインターネットに接続するように構成される有線又は無線のネットワークインタフェース９５０と、入出力（Ｉ／Ｏ）インタフェース９５８と、を含んでもよい。デバイス９００は、メモリ９３２に格納されている、Ｗｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭなどのオペレーションシステムを操作することができる。
【００８５】
本開示の他の実施形態は、ここで開示されている明細及び実践の考慮から、当業者にとって明らかであろう。この出願は、それらの一般的概念に従い、かつ、当技術分野における公知又は慣用の範囲内で本開示から逸脱するものを含む、本開示の如何なる変形、使用、適合にも及ぶことが意図されている。本明細書及び実施例は、特許請求の範囲によって示される本開示の実質的な範囲及び精神により、典型としてのみ考慮されることが意図される。
【００８６】
本開示は、上述されかつ添付の図面に図示された厳密な構成に限定されず、かつ、本開示の範囲を逸脱しない範囲で様々な改良及び変更を行うことができると認識されるであろう。本開示の範囲は、付属の特許請求の範囲によってのみ限定されるものであることが意図される。
【図１】
2017504081.tif 000004
【図２】
2017504081.tif 000005
【図３】
2017504081.tif 000006
【図４】
2017504081.tif 000007
【図５】
2017504081.tif 000008
【図７】
2017504081.tif 000009
【図８】
2017504081.tif 000010
【図９】
2017504081.tif 000011
【図６Ａ】
2017504081.tif 000012
【図６Ｂ】
2017504081.tif 000013
【図６Ｃ】
2017504081.tif 000014
【図６Ｄ】
2017504081.tif 000015
【図６Ｅ】
2017504081.tif 000016
【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
サーバで適用される、コンタクト情報の提供方法であって、
第一のユーザによって入力されるキーワード情報を取得することと、
前記第一のユーザによって入力される前記キーワード情報と同一又は類似のキーワード情報を入力する少なくとも一人の第二のユーザのコンタクト情報を決定することと、
前記少なくとも一人の第二のユーザの前記コンタクト情報を前記第一のユーザに対して表示することを備えるコンタクト情報の提供方法。
【請求項２】
前記第一のユーザによって入力される前記キーワード情報と同一又は類似のキーワード情報を入力する少なくとも一人の第二のユーザのコンタクト情報を決定することは、
前記第一のユーザによって入力される前記キーワード情報と同一又は類似のキーワード情報を、サーバに格納されているコンタクトリストであって、かつ、前記サーバに記録されたコンタクト情報及び前記コンタクト情報に対応するコンタクトによって入力される前記キーワード情報を格納するように構成される前記コンタクトリストから検索することと、
前記コンタクトリストから前記第一のユーザによって入力される前記キーワード情報と同一又は類似のキーワード情報に対応する第一のコンタクト情報を取得することと、
前記第一のコンタクト情報に対応する各コンタクトのアクティビティを決定することと、
前記第一のコンタクト情報に対応する各コンタクトの前記アクティビティに従って前記第一のユーザに対して推薦される前記少なくとも一人の第二のユーザに対応する前記コンタクト情報を決定することと、を備える請求項１記載のコンタクト情報の提供方法。
【請求項３】
前記サーバに関連するサイトの前記コンタクトリストにおける各コンタクトによって投稿されるメッセージの第一の数、及び、前記サーバに関連する前記サイトの前記コンタクトリストにおける各コンタクトによって返答されるメッセージの第二の数を取得することと、
前記コンタクトリストの各コンタクトの重み値を取得するために第一の重み係数及び第二の重み係数のそれぞれによって前記第一の数及び前記第二の数を重み付けすることと、
前記コンタクトリストの各コンタクトの前記重み値に従って前記コンタクトリストの各コンタクトの前記アクティビティを更新することと、をさらに備える請求項２記載のコンタクト情報の提供方法。
【請求項４】
前記サーバに関連する前記サイトの前記コンタクトリストの各コンタクトのスコアリング情報を取得することと、
前記コンタクトリストの各コンタクトの前記スコアリング情報に対応する第三の重み係数に従って前記コンタクトリストの各コンタクトの前記アクティビティを更新することと、をさらに備える請求項２記載のコンタクト情報の提供方法。
【請求項５】
前記第一のユーザのコンタクトの詳細及び認可設定を取得することと、
前記第一のユーザの名前、前記第一のユーザによって入力される前記キーワード情報、及び、前記第一のユーザの前記コンタクトの詳細に従って前記コンタクトリストを更新することと、
前記第一のユーザの前記認可設定に従って、前記第一のユーザの前記名前、前記第一のユーザによって入力される前記キーワード情報、及び、前記第一のユーザの前記コンタクトの詳細を公開するかどうかを決定することと、をさらに含む請求項２から４のいずれか記載のコンタクト情報の提供方法。
【請求項６】
サーバで適用される、コンタクト情報の提供デバイスであって、
第一のユーザによって入力されるキーワード情報を取得するように構成される第一の取得モジュールと、
前記第一の取得モジュールによって取得されるキーワード情報と同一又は類似のキーワード情報を入力する少なくとも一人の第二のユーザのコンタクト情報を決定するように構成される第一の決定モジュールと、
前記第一のユーザに対して前記第一の決定モジュールによって決定される前記コンタクト情報を表示するように構成される表示モジュールと、を備えるコンタクト情報の提供デバイス。
【請求項７】
前記第一の決定モジュールは、
前記第一のユーザによって入力されるキーワード情報と同一又は類似のキーワード情報を、前記サーバに格納されているコンタクトリストであって、かつ、前記サーバに記録されたコンタクト情報及び前記コンタクト情報に対応するコンタクトによって入力される前記キーワード情報を格納するように構成される前記コンタクトリストから検索するように構成される検索サブモジュールと、
前記コンタクトリストから前記検索サブモジュールによって検索される前記第一のユーザによって入力されるキーワード情報と同一又は類似のキーワード情報に対応する第一のコンタクト情報を取得するように構成される取得サブモジュールと、
前記取得サブモジュールによって取得される前記第一のコンタクト情報に対応する各コンタクトのアクティビティを決定するように構成される第一の決定サブモジュールと、
前記第一の決定サブモジュールによって決定されるアクティビティに従って前記第一のユーザに対して推薦される前記少なくとも一人の第二のユーザに対応する前記コンタクト情報を決定するように構成される第二の決定サブモジュールと、を備える請求項６記載のコンタクト情報の提供デバイス。
【請求項８】
前記サーバに関連するサイトの前記コンタクトリストにおける各コンタクトによって投稿されるメッセージの第一の数、及び、前記サーバに関連する前記サイトの前記コンタクトリストにおける各コンタクトによって返答されるメッセージの第二の数を取得するように構成される第二の取得モジュールと、
前記コンタクトリストの各コンタクトの重み値を取得するために第一の重み係数及び第二の重み係数のそれぞれによって前記第二の取得モジュールによって取得される前記第一の数及び前記第二の数を重み付けするように構成される重み付けモジュールと、
前記重み付けモジュールによって取得される前記コンタクトリストの各コンタクトの前記重み値に従って前記コンタクトリストの各コンタクトの前記アクティビティを更新するように構成される第一の更新モジュールと、をさらに備える請求項７記載のコンタクト情報の提供デバイス。
【請求項９】
前記サーバに関連する前記サイトの前記コンタクトリストの各コンタクトのスコアリング情報を取得するように構成される第三の取得モジュールと、
前記第三の取得モジュールによって取得される前記コンタクトリストの各コンタクトの前記スコアリング情報に対応する第三の重み係数に従って、前記コンタクトリストの各コンタクトの前記アクティビティを更新するように構成される第二の更新モジュールと、をさらに備える請求項７記載のコンタクト情報の提供デバイス。
【請求項１０】
前記第一のユーザのコンタクトの詳細及び認可設定を取得するように構成される第四の取得モジュールと、
前記第一のユーザの名前、前記第一のユーザによって入力される前記キーワード情報、及び、前記第一のユーザの前記コンタクトの詳細に従って前記コンタクトリストを更新するように構成される第三の更新モジュールと、
前記第一のユーザの前記認可設定に従って、前記第一のユーザの前記名前、前記第一のユーザによって入力される前記キーワード情報、及び、前記第一のユーザの前記コンタクトの詳細を、公開するかどうかを決定するように構成される第二の決定モジュールと、をさらに備える請求項７から請求項９のいずれか１項に記載のコンタクト情報の提供デバイス。
【請求項１１】
前記コンピュータをランするときに、請求項１から５のいずれかに従うコンタクト情報の提供方法をコンピュータに実行させるコンピュータプログラム。
【請求項１２】
そこに格納されている請求項１１記載のコンピュータプログラムを備えるコンピュータ可読格納媒体。
【国際調査報告】
2017504081.tif 000017
2017504081.tif 000018
2017504081.tif 000019
2017504081.tif 000020